(57)【要約】【課題】奥行き寸法を小さくするのに効果的で門塀等に埋設した場合には、内側への突出を無くしたり、その突出量を小さく抑えることができ、他の機能ユニットを付加することも可能な郵便受けポストの提供を目的とする。【解決手段】郵便物の投入部と当該投入部の下部に設けた郵便物の収容部とからなる郵便受けポストであって、投入部は、機能ユニット収容室と当該機能ユニット収容室の外側に外側扉を有し、機能ユニット収容室の底部に郵便物の投入口を有し、郵便物の収容部の内側に内側扉を有していることを特徴とする。【選択図】  図１
2010136957.tif 000002
【特許請求の範囲】
【請求項１】
郵便物の投入部と当該投入部の下部に設けた郵便物の収容部とからなる郵便受けポストであって、
投入部は、機能ユニット収容室と当該機能ユニット収容室の外側に外側扉を有し、機能ユニット収容室の底部に郵便物の投入口を有し、郵便物の収容部の内側に内側扉を有していることを特徴とする郵便受けポスト。
【請求項２】
機能ユニット収容室には、照明、照度センサー、インターホン、人検知センサーのうちいずれか１つ以上が収容可能になっていることを特徴とする請求項１記載の郵便受けポスト。
【請求項３】
外側扉は、表札機能を有していることを特徴とする請求項１又は２記載の郵便受けポスト。
【請求項４】
門塀又は門柱に埋設してあり、郵便受けポストの奥行き寸法が門塀又は門柱の厚さと同等以下であることを特徴とする請求項１〜３のいずれかに記載の郵便受けポスト。
【発明の詳細な説明】
【技術分野】
【０００１】
本発明は、郵便物、新聞、宅配物等（以下、総称して郵便物という。）を受けるポスト（収容箱）に関し、特に奥行き寸法を小さくするのに効果的で、門塀や門柱に埋設した場合にあっては内側への突出量を小さくでき、さらには表札、照明、インターホン等の機能ユニットを兼ね備えることも可能な郵便受けポストに係る。
【背景技術】
【０００２】
近年、郵便物等（新聞、宅配物を含む）を受けるポストに照明、表札、インターホン等の機能を付加したもの（特許文献１）、外構部に埋め込んだもの（特許文献２）等が提案されている。
しかし、これまでに提案されているものは、いずれも外側から概ね水平方向奥側に向けて郵便物を投入する構造になっているために郵便受けポストの奥行寸法を小さくすることが困難であり、門塀等に埋設すると、門塀の内側に大きく突出してしまう問題があった。
【０００３】
例えば、特許文献２の例で説明すると同公報図３に側面断面図を示すように、扉（５）が外構部の外側に設けてあり、そのまま奥行き方向に郵便物等を投入する構造になっているために、外構部（Ｅ）の内側に収容部の奥側を突出させざるを得ない。
仮にＡ４サイズの封筒からなる郵便物を投入することを考えると、外側から内側に向けて概ね水平方向に投入するには、Ａ４サイズの縦寸法に相当する少なくとも約３０ｃｍ以上の奥行き寸法が必要になる。
【０００４】
【特許文献１】実開平５−１７０９７号公報
【特許文献２】特開２００３−３２５３０７号公報
【発明の開示】
【発明が解決しようとする課題】
【０００５】
本発明は、奥行き寸法を小さくするのに効果的で門塀等に埋設した場合には、内側への突出を無くしたり、その突出量を小さく抑えることができ、他の機能ユニットを付加することも可能な郵便受けポストの提供を目的とする。
【課題を解決するための手段】
【０００６】
本発明に係る郵便受けポストは、郵便物の投入部と当該投入部の下部に設けた郵便物の収容部とからなる郵便受けポストであって、投入部は、機能ユニット収容室と当該機能ユニット収容室の外側に外側扉を有し、機能ユニット収容室の底部に郵便物の投入口を有し、郵便物の収容部の内側に内側扉を有していることを特徴とする。
ここで、機能ユニット収容室には、照明、照度センサー、インターホン、人検知センサーのうちいずれか１つ以上が収容可能になっている。
機能ユニット収容室に上記機能ユニットが収容可能になっていると表現したのは、郵便物の収容部の上部に設けた郵便物の投入部の底部に郵便物を投入口を設けた構造であれば、必ずしもインターホン等の他の機能を付加する必要はなく、必要に応じて郵便物受けポスト以外の機能を付加することができることを意味する。
また、外側扉に表札機能を付加してもよい。
【０００７】
請求項４記載の郵便受けポストにあっては、門塀又は門柱に埋設してあり、郵便受けポストの奥行き寸法が門塀又は門柱の厚さと同等以下であることを特徴とする。
ここで門塀又は門柱の厚さと同等以下としたのは、門塀等の外側表面から外側扉が若干突出したり、門塀等の内側表面から内側扉が若干突出してもよく、郵便物の収容部の内側寸法が門塀又は門柱の厚さ以下であればよい。
より具体的に説明すると、門塀や門柱に市販コンクリートブロックを採用した場合に市販ブロックの厚みが１００ｍｍ，１２０ｍｍ，１５０ｍｍのものが存在する。
例えば、厚み１２０ｍｍのブロックに合せて郵便物の収容部の厚みを設定した場合にこの郵便受けポストを厚み１００ｍｍのブロックを用いて造った門塀に取り付けた場合には室外側又は室内側に若干突出するが、そのような場合を含めることができる。
従って、本発明に係る郵便受けポストは奥行き寸法を１５０ｍｍ以内に設定するのが望ましい。
【発明の効果】
【０００８】
本発明に係る郵便受けポストは、機能ユニット収容室の下部に郵便物の収容部を設け、この機能ユニット収容室の底部に投入口を設けた構造を採用したので、例えば、Ａ４サイズの封筒による郵便物で説明すると、機能ユニット収容室の外側扉を開いて、下部に設けた郵便物の収容部に向けて、上から下方向に概ね垂直方向あるいは、それに近い角度にてＡ４サイズの郵便物を立てて投入口に投入することができる。
これにより、外側扉を閉じてあることで投入口から雨水が浸入するのを防止しつつ、郵便受けポストの奥行き寸法を小さくした薄型構造にできる。
【発明を実施するための最良の形態】
【０００９】
本発明に係る郵便受けポスト１０の構造例を図面に基づいて以下説明する。
図１は、門塀１の一部を切り欠いて郵便受けポスト１０を埋設する例を示し、図２は郵便受けポスト１０（以下単にポストと称する。）の外側構成説明図を示し、図３は内側構成説明図を示す。
本明細書では、郵便物等をポストに投入する門塀の外側をポストの外側と表現し、門塀の内側から扉を開いて郵便物を取り出す側を内側と表現する。
図５にポスト１０の正面図を示し、図６にＤ−Ｄ線断面図（縦断面図）、図７にＡ−Ａ線断面図，Ｂ−Ｂ線断面図，Ｃ−Ｃ線断面図をそれぞれ示す。
図４（ａ）は、ポスト１０の上部構造例、図４（ｂ）は下部構造例を示し、図８（ａ）に外側扉１４の開閉構造例、図８（ｂ）に内側扉１５の開閉構造例を示す。
【００１０】
ポスト１０は、図１〜図８に示すように、本体枠２０の上部が郵便物の投入部１１になっていて、下部が郵便物の収容部１２となっている。
図６を見ると分かりやすいように、投入部１１は機能ユニット収容室１６とその外側に開閉自在の外側扉１４を有し、当該機能ユニット収容室１６の下に郵便物の収容部１２を有し、この収容部１２の内側に開閉自在の内側扉１５を有している。
郵便物は外側扉１４を開き、機能ユニット収容室１６の底部に設けた投入口１３から下側の収容部１２に投入され、投入された郵便物は内側扉１５を開いて取り出す構造になっている。
投入口１３は機能ユニット収容室１６の底部に設けてあるので郵便物を立てて、上から下に垂直に近い角度で収容部１２に投入できる。
本実施例では郵便物を投入しやすいように機能ユニット収容室１６の底面を投入手前から奥側に向けて上方に傾斜させた傾斜面に形成してあるが、概ね水平方向の底面であってもよい。
【００１１】
機能ユニット収容室１６の高さ寸法は一般に多く使用されているＡ４サイズの封筒を長手方向に立てて投入できる程度の寸法になっているのが好ましく、外側扉１４を設けたことにより、上方が開口するように設けた投入口１３から雨水が浸入するのを防いでいる。
従って、外側扉１４は本体枠２０に水密に閉じることができるのが良く、開閉扉方式でもスライド方式でも方法は問わない。
本実施例においては、図２に示すように外側扉１４は扉本体枠１４ａ、上枠１４ｃ，下枠１４ｄ及び照明カバー部材１４ｂとで箱型の枠体を形成し、内部にＬＥＤ等からなる照明体６０を取り付けてある。
また、表面は乳白色のアクリル板１４ｅとガラス板１４ｆとを嵌め込んである。
これにより、表面に氏名や住所を記載し、外側扉１４に表札機能と、照明機能とを付加することができる。
機能ユニット収容室１６には、インターホン３０を取り付けてもよい。
このようにインターホン等の機能を付加する場合には、図４に示すように人検知センサー４０を設けて、人が近づいてくると照明体６０が点灯し、郵便受けポストであることや、インターホンが備えられていることが分かるようにするとよい。
また、夜間になると自動的に照明体６０が点灯するように、図３に示すように照度センサー５０を取り付けてもよい。
【００１２】
外側扉１４は、図２に構造例を示すようにヒンジ１４ｈ，ヒンジボルト１４ｉ及びブラケット１４ｇ等を用いてビス１４ｊ止めすることで開閉自在になっている。
なお、開閉方向は取り付ける門塀の左右に応じて、左勝手でも右勝手でもよい。
【００１３】
本体枠２０で形成した収容部１２の外側は外側パネル２１を取り付けてあり、この外側パネル２１は、図７（ｂ），（ｃ）に示すように、枠体に乳白色のアクリル板２１ａ，ガラス板２１ｂ等を嵌め込み、内部にＬＥＤ等からなる照明体６０を設けてもよい。
このようにするとポスト１０の投入部と収容部との外観が一体的に仕上がる。
また、符号６１はＬＥＤ点滅燈を示す。
【００１４】
郵便物の収容部には、図３に内側から見た構造説明図を示すように、内側から開閉自在の内側扉１５を有し、本実施例は開閉扉方式を採用しているが、スライド方式でもよい。
内側扉１５は、本体枠２０の下部側で本体枠の裏面に設けた開口部にヒンジ１５ｅ，２３等にて開閉自在に取り付けてある。
なお、内側扉１５の扉パネル１５ａに取手１５ｃと錠１５ｂとを設けるとともに郵便物が投入されたことを確認できる透明パネルからなる確認窓１５ｄを設けてある。
なお、上部の投入部に対応してポストの裏面にはメンテナンス用の蓋体２２を着脱可能にビス２３ａ等で取り付けてある。
【００１５】
郵便物の収容部１２の底部には図４（ｂ）及び図６に示すように郵便物受け皿２６をビス２６ａ等で本体枠２０に取り付け、クッション材２７を設けてある。
【００１６】
ポスト１０を門塀１を切り欠いて埋設する例としてはブロック等で造作した門塀の一部にＬ字型の切り欠け部を形成し、アンカーボルト２と配線管３等を用いて取り付ける。
この場合に本体を枠２０には図４に示すように必要に応じて内カバー２４，下部補強アングル２８を取り付け、側面には図１に示すように緩衝材４を挟み込み、固定具２５，２９等で取り付けるとよい。
このようにポスト１０を門塀１に取り付けた例を図９に示す。
図１０は、外側扉１４部分のみを外部に露出させ、郵便物の収容部１２が外部から見えないようにした例を示す。
この場合には図１２，図１３に示すように収容部１２の外側面をメタルラス仕上げにし、門塀の表面と同じ外観仕上げにするとよい。
図１１には、門柱１ａに一体的にポスト１０を組み込んだ例を示す。
【図面の簡単な説明】
【００１７】
【図１】本発明に係る郵便受けポスト例を示す。
【図２】ポストの外側構造例を示す。
【図３】ポストの内側構造例を示す。
【図４】ポストの上部及び下部構造例を示す。
【図５】ポストの正面図を示す。
【図６】ポストの縦断面図を示す。
【図７】ポストのＡ−Ａ線，Ｂ−Ｂ線，Ｃ−Ｃ線の断面図を示す。
【図８】外側扉及び内側扉の開閉構造例を示す。
【図９】ポストの門塀への取付例を示す。
【図１０】ポストの他の取付例を示す。
【図１１】ポストの他の取付例を示す。
【図１２】ポストの正面構造例の他の例を示す。
【図１３】ポストのＥ−Ｅ線断面図を示す。
【符号の説明】
【００１８】
１        門塀
２        アンカーボルト
３        配線管
１０      郵便受けポスト
１１      投入部
１２      収容部
１３      投入口
１４      外側扉
１５      内側扉
１６      機能ユニット収容室
２０      本体枠
２１      外側パネル
３０      インターホン
４０      人検知センサー
５０      照度センサー
６０      照明体
【図１】
2010136957.tif 000003
【図２】
2010136957.tif 000004
【図３】
2010136957.tif 000005
【図４】
2010136957.tif 000006
【図５】
2010136957.tif 000007
【図６】
2010136957.tif 000008
【図７】
2010136957.tif 000009
【図８】
2010136957.tif 000010
【図９】
2010136957.tif 000011
【図１０】
2010136957.tif 000012
【図１１】
2010136957.tif 000013
【図１２】
2010136957.tif 000014
【図１３】
2010136957.tif 000015